(57)【要約】【課題】  内部が浸水したか否かを簡単に確認できる浸水表示機能を引込ヒューズに付加することにより、信頼性を向上させた浸水表示機能付き引込ヒューズを提供する。【解決手段】  ヒューズエレメント１と、ヒューズエレメント１を収容する内筒２と、内筒２の外周に装着される銘板３と、内筒２および銘板３を覆う透明外筒４と、内筒２および透明外筒４の両端をそれぞれ支持しヒューズエレメント１の両端部とそれぞれ導通する電極部５Ｌ，５Ｒを備えるヒューズ支持部材６Ｌ，６Ｒとを具備して成る引込ヒューズにおいて、銘板３を吸水性材料で構成し、銘板３のヒューズ支持部材６Ｌ，６Ｒによって覆われる部位に浸水判別用マークとなる水溶性塗料８を配置するとともに、前記部位に近接する溝２ａを内筒２の外周部に形成することにより、浸水表示機能付き引込ヒューズの内部が浸水したか否かを簡単に確認できるようにした。【選択図】図１
2007250381.tif 000002
【特許請求の範囲】
【請求項１】
ヒューズエレメントと、前記ヒューズエレメントを収容する内筒と、前記内筒の外周に装着される銘板と、前記内筒および前記銘板を覆う透明外筒と、前記内筒および前記透明外筒の両端をそれぞれ支持するとともに前記ヒューズエレメントの両端部とそれぞれ導通する電極部を備えるヒューズ支持部材とを具備して成る引込ヒューズにおいて、
前記銘板を吸水性材料で構成し、前記銘板の前記ヒューズ支持部材によって覆われる部位に浸水判別用マークとなる水溶性塗料を配置したことを特徴とする浸水表示機能付き引込ヒューズ。
【請求項２】
前記部位に近接する前記内筒の外周部に溝を形成したことを特徴とする請求項１記載の浸水表示機能付き引込ヒューズ。
【発明の詳細な説明】
【技術分野】
【０００１】
本発明は、ヒューズエレメントを収容する内筒の外周に装着される銘板に浸水判別機能を付加することにより信頼性の向上を図った、浸水表示機能付き引込ヒューズに関するものである。
【背景技術】
【０００２】
引込ヒューズの従来例としては、ヒューズエレメントと、前記ヒューズエレメントを収容する内筒と、前記内筒の外周に装着される銘板と、前記内筒および前記銘板を覆う透明外筒と、前記内筒および前記透明外筒の両端をそれぞれ支持するとともに前記ヒューズエレメントの両端部とそれぞれ導通する電極部を備えるヒューズ支持部材とを具備して成るものがある。
【発明の開示】
【発明が解決しようとする課題】
【０００３】
上記従来例の引込ヒューズの内部が浸水した場合、溶断特性が変化して溶断時間が長くなるため、保護対象となる電線等を保護する機能が発揮できなくなって、発煙等の不具合を招くおそれがある。また、上記従来例の引込ヒューズの内部が浸水した場合、短絡電流の遮断時に、ヒューズエレメントを収容する内筒の内部圧力の上昇等に伴い、内筒や透明外筒が飛散することも考えられる。したがって、引込ヒューズには、その内部が浸水したか否かを簡単に確認できる浸水表示を行うことが望まれている。
【０００４】
本発明は、内部が浸水したか否かを簡単に確認することができる浸水表示機能を引込ヒューズに付加することにより、信頼性を向上させた浸水表示機能付き引込ヒューズを提供することを目的とする。
【課題を解決するための手段】
【０００５】
上記目的を達成するため、本発明の浸水表示機能付き引込ヒューズは、ヒューズエレメントと、前記ヒューズエレメントを収容する内筒と、前記内筒の外周に装着される銘板と、前記内筒および前記銘板を覆う透明外筒と、前記内筒および前記透明外筒の両端をそれぞれ支持するとともに前記ヒューズエレメントの両端部とそれぞれ導通する電極部を備えるヒューズ支持部材とを具備して成る引込ヒューズにおいて、前記銘板を吸水性材料で構成し、前記銘板の前記ヒューズ支持部材によって覆われる部位に浸水判別用マークとなる水溶性塗料を配置したことを特徴とする。
【０００６】
本発明によれば、ヒューズエレメントと、前記ヒューズエレメントを収容する内筒と、前記内筒の外周に装着される銘板と、前記内筒および前記銘板を覆う透明外筒と、前記内筒および前記透明外筒の両端をそれぞれ支持するとともに前記ヒューズエレメントの両端部とそれぞれ導通する電極部を備えるヒューズ支持部材とを具備して成る引込ヒューズにおいて、前記銘板は吸水性材料で構成されており、前記銘板の前記ヒューズ支持部材によって覆われる部位には浸水判別用マークとなる水溶性塗料が配置されているので、浸水により引込ヒューズの内部に入った水は、直接的に、あるいは、前記部位に近接する前記内筒の外周部に溝を形成した場合にはその溝を経由して、前記部位に配置された浸水判別用の水溶性塗料に到達して該水溶性塗料を溶かし、溶けた水溶性塗料は、例えば毛細管現象によって流出し、吸水性材料で構成されている前記銘板の前記ヒューズ支持部材で覆われていない部位に導かれて吸収され、浸水を表示することとなるから、透明外筒を通して前記銘板の状態を観察することにより、「浸水表示機能付き引込ヒューズの内部が浸水したか否か」を簡単に確認できるようになる。したがって、信頼性を向上させた浸水表示機能付き引込ヒューズを提供することができる。
【発明を実施するための最良の形態】
【０００７】
以下、本発明を実施するための最良の形態を図面に基づき詳細に説明する。
【０００８】
図１（ａ），（ｂ）はそれぞれ、本発明の第１実施形態の浸水表示機能付き引込ヒューズの構成を示す外観図および断面図であり、図２（ａ），（ｂ）はそれぞれ、第１実施形態の浸水表示機能付き引込ヒューズの縦断面図および正面図である。本実施形態の浸水表示機能付き引込ヒューズは、図１（ａ），（ｂ）に示すように、ヒューズエレメント１と、ヒューズエレメント１を収容する内筒２と、内筒２の外周に装着される銘板３と、内筒２および銘板３を覆う透明外筒４と、内筒２および透明外筒４の両端をそれぞれ支持するとともにヒューズエレメント１の両端部とそれぞれ導通するリード線５Ｌ，５Ｒを備えるヒューズ支持部材６Ｌ，６Ｒとを具備して成る。
【０００９】
上記ヒューズエレメント１は、所望の溶断特性（例えば図１（ａ）の場合、２５０Ｖ，５０Ａ）に対応するヒューズエレメントである。
上記内筒２の内部には、ヒューズエレメント１を収容する空間と、ヒューズエレメント１の両端部を固定的に支持する支持部と、ヒューズエレメント１の一部を覆う硅砂などが設けられている。また、上記内筒２の外周部には、図２（ａ），（ｂ）に示すように、長手方向の全長に亘って、溝２ａ（図示例の場合、８本）が円周方向等間隔に形成されている。
【００１０】
上記銘板３は、吸水性材料で構成されており、図３に示すように、本実施形態の浸水表示機能付き引込ヒューズの溶断特性（図３の場合、２５０Ｖ，５０Ａ）を含む各種ヒューズ情報７と、浸水判別用マークとなる水溶性塗料８とを含んでいる。浸水判別用マークとなる水溶性塗料８は、図１（ｂ）に示すように銘板３を内筒２の外周に装着したときに、ヒューズ支持部材６Ｌ，６Ｒで隠れて透明外筒４経由では見えない位置（図３の場合左右両端部近傍）に、円周方向において１周するように配置（塗布）されている。なお、浸水判別用マークとなる水溶性塗料８を透明外筒４経由では見えない位置に配置する理由は、水溶性塗料の耐候性は余り高くないので、水溶性塗料の紫外線による劣化（変色、退色）を防止するためである。
【００１１】
本実施形態の浸水表示機能付き引込ヒューズの銘板３に配置（塗布）された水溶性塗料８は、浸水していないときには図３に示すように配置（塗布）したときと同じ形状を保っているが、浸水が発生したときには溶けて図３とは異なる形状に変形して流れ出すので、後述するように浸水判別用マークとなる。
【００１２】
上記浸水判別用マークとなる水溶性塗料８としては、例えば、「東洋インキ製造株式会社のＳＭＸ  ＷＳシリーズ（形状；ペースト状、色；使用する顔料に対応する色、沸点；２９０℃（多価アルコール）、印火点；１７７℃、密度；１．４〜１．７、水に対する溶解性；可溶）」を用いるものとする。なお、上記水溶性塗料の色は、視認性が良好な色であればどのような色を用いてもよく、本実施形態では青色のものを用いている。
【００１３】
次に、本実施形態の浸水表示機能付き引込ヒューズの浸水表示機能について説明する。
本実施形態の浸水表示機能付き引込ヒューズにおいて、何らかの理由によって内部への浸水が発生した場合、例えば透明外筒４とヒューズ支持部材６Ｌ，６Ｒとの隙間からヒューズ内部に入った水は、直近の浸水判別用マークとなる水溶性塗料８に到達したり、内筒３の溝２ａを経て反対側の浸水判別用マークとなる水溶性塗料８に到達したりして、当該水溶性塗料を溶かすことになる。浸水により溶けた水溶性塗料８は、溝２ａの毛細管現象によって当初の位置からヒューズ中央側に向かって流出し、吸水性材料で構成されている銘板３のヒューズ支持部材６Ｌ，６Ｒで覆われていない部位に導かれて吸収され、「浸水を表示するマークである浸水判別用マーク」となる。
【００１４】
上記構成の本実施形態の浸水表示機能付き引込ヒューズによれば、透明外筒４を通して銘板３の状態を観察することにより、「浸水表示機能付き引込ヒューズの内部が浸水したか否か」を簡単に確認できるようになるので、信頼性を向上させた浸水表示機能付き引込ヒューズを提供することができる。
【図面の簡単な説明】
【００１５】
【図１】（ａ），（ｂ）はそれぞれ、本発明の第１実施形態の浸水表示機能付き引込ヒューズの構成を示す外観図および断面図である。
【図２】（ａ），（ｂ）はそれぞれ、第１実施形態の浸水表示機能付き引込ヒューズの縦断面図および正面図である。
【図３】第１実施形態の浸水表示機能付き引込ヒューズで用いている銘板の構成を説明するための図である。
【符号の説明】
【００１６】
１  ヒューズエレメント
２  内筒
２ａ  溝
３  銘板
４  透明外筒
５Ｌ，５Ｒ  電極部
６Ｌ，６  ヒューズ支持部材
７  各種ヒューズ情報
８  水溶性塗料（浸水判別用マーク）
【図１】
2007250381.tif 000003
【図２】
2007250381.tif 000004
【図３】
2007250381.tif 000005